(57)【要約】【課題】対象物の大きさに制約がなく汎用性のある対象物の上面に所定厚さの目地材を塗布するために用いられる目地形成具を提供すること。【解決手段】対象物Ｗの上面に所定厚さの目地材Ｍを塗布するために用いられる目地形成具で、対象物Ｗの側面に接して配置される、上縁にフランジ部１１を備えた第１の部材１と、第１の部材１のフランジ部１１が係止される係止部２１を備え、対象物Ｗの上面に載置される第２の部材２とを、井桁状に組み合わせてなる。【選択図】図１
0003235385.tif 000002
【実用新案登録請求の範囲】
【請求項１】
対象物の上面に所定厚さの目地材を塗布するために用いられる目地形成具において、前記対象物の側面に接して配置される、上縁にフランジ部を備えた第１の部材と、該第１の部材のフランジ部が係止される係止部を備え、対象物の上面に載置される第２の部材とを、井桁状に組み合わせてなることを特徴とする目地形成具。
【請求項２】
前記係止部を上下方向に複数段設け、そのいずれかに選択的に第１の部材のフランジ部を係止するようにしたことを特徴とする請求項１に記載の目地形成具。
【請求項３】
前記係止部を第２の部材の長手方向に２組以上設け、その１組に１組の第１の部材のフランジ部を係止するようにしたことを特徴とする請求項１又は２に記載の目地形成具。
【請求項４】
前記係止部を第２の部材の長手方向に２組以上設け、その２組に２組の第１の部材のフランジ部を係止するようにしたことを特徴とする請求項１又は２に記載の目地形成具。
【考案の詳細な説明】
【技術分野】
【０００１】
本考案は、コンクリートブロックやレンガ（本明細書において、「対象物」という。）の上面に所定厚さの目地材を塗布するために用いられる目地形成具に関するものである。
【背景技術】
【０００２】
従来、コンクリートブロックやレンガは、壁体や建築物等の構築物を構築するために広く用いられている。
そして、このコンクリートブロックやレンガは、基礎上に複数のコンクリートやレンガを並べるとともに、隣り合ったコンクリートやレンガ間にモルタル等の目地材を充填して接合し、このコンクリートブロックやレンガの上に、次段のコンクリートブロックやレンガを、目地材を介して、上下方向に積み重ねるとともに、隣り合ったコンクリートブロックやレンガ間に目地材を充填して接合し、順次上方にコンクリートブロックやレンガを積み重ねることで、構築物を構築するものである。
【０００３】
ところで、複数のコンクリートブロックやレンガを、目地材を介して、上下方向に積み重ねて構築物を構築する場合、コンクリートブロックやレンガの上面に所定厚さの目地材を塗布する必要があるが、これには熟練した技術を要していた。
【０００４】
この問題に対処するために、レンガの上面に所定厚さの目地材を塗布するために用いられるレンガ積み用モルタル目地塗り具が提案されている（例えば、特許文献１参照。）。
【０００５】
特許文献１に開示されたレンガ積み用モルタル目地塗り具は、レンガの上面に所定厚さの目地材を塗布することができる反面、全体が一体構造のものであるため、特定の大きさのレンガにしか適用できず、汎用性に乏しいという問題があった。
【先行技術文献】
【特許文献】
【０００６】
【特許文献１】特開２００４−８４４４１号公報
【考案の概要】
【考案が解決しようとする課題】
【０００７】
本考案は、上記のレンガ積み用モルタル目地塗り具の有する問題点に鑑み、対象物の大きさに制約がなく汎用性のある対象物の上面に所定厚さの目地材を塗布するために用いられる目地形成具を提供することを目的とする。
【課題を解決するための手段】
【０００８】
上記目的を達成するため、本考案の目地形成具は、対象物の上面に所定厚さの目地材を塗布するために用いられる目地形成具において、前記対象物の側面に接して配置される、上縁にフランジ部を備えた第１の部材と、該第１の部材のフランジ部が係止される係止部を備え、対象物の上面に載置される第２の部材とを、井桁状に組み合わせてなることを特徴とする。
【０００９】
この場合において、前記係止部を上下方向に複数段設け、そのいずれかに選択的に第１の部材のフランジ部を係止するようにすることができる。
【００１０】
また、前記係止部を第２の部材の長手方向に２組以上設け、その１組に１組の第１の部材のフランジ部を係止するようにすることができる。
【００１１】
また、前記係止部を第２の部材の長手方向に２組以上設け、その２組に２組の第１の部材のフランジ部を係止するようにすることができる。
【考案の効果】
【００１２】
本考案の目地形成具は、対象物の側面に接して配置される、上縁にフランジ部を備えた第１の部材と、該第１の部材のフランジ部が係止される係止部を備え、対象物の上面に載置される第２の部材とを、井桁状に組み合わせてなることから、対象物の大きさ（長さ寸法）（第１の部材の長手方向の寸法）に制約がなく汎用性のある対象物の上面に所定厚さの目地材を塗布するために用いられる目地形成具を提供することができる。
【００１３】
また、係止部を上下方向に複数段設け、そのいずれかに選択的に第１の部材のフランジ部を係止するようにすることにより、目地材の塗布厚さを選択することができる。
【００１４】
また、前記係止部を第２の部材の長手方向に２組以上設け、その１組に１組の第１の部材のフランジ部を係止するようにすることにより、対象物の大きさ（幅寸法）（第２の部材の長手方向の寸法）に制約がなく汎用性のある対象物の上面に所定厚さの目地材を塗布するために用いられる目地形成具を提供することができる。
【００１５】
また、前記係止部を第２の部材の長手方向に２組以上設け、その２組に２組の第１の部材のフランジ部を係止するようにすることにより、ウェブで連結したフェイスシェルの上面に所定厚さの目地材を、目地材を落下させることなく塗布することができる。
【図面の簡単な説明】
【００１６】
【図１】本考案の目地形成具の第１実施例を示し、目地形成具を用いて対象物の上面に所定厚さの目地材を塗布する工程を示す説明図である。
【図２】同目地形成具を分解した状態を示し、（ａ）は第１の部材の斜視図、（ｂ）は同正面図、（ｃ）は同側面図、（ｄ）は第２の部材の斜視図、（ｅ）は同正面図、（ｆ）は同側面図である。
【図３】本考案の目地形成具の第１実施例の変形例の分解した状態を示し、（ａ）は第１の部材の斜視図、（ｂ）は同正面図、（ｃ）は同側面図、（ｄ）は第２の部材の斜視図、（ｅ）は同正面図、（ｆ）は同側面図である。
【図４】本考案の目地形成具の第２実施例を示し、目地形成具を用いて対象物の上面に所定厚さの目地材を塗布する工程を示す説明図である。
【考案を実施するための形態】
【００１７】
以下、本考案の目地形成具の実施の形態を、図面に基づいて説明する。
【００１８】
図１〜図２に、本考案の目地形成具の第１実施例を示す。
この目地形成具は、レンガ等の対象物Ｗの上面に所定厚さのモルタル等の目地材Ｍを塗布するために用いられるもので、対象物Ｗの側面に接して配置される、上縁にフランジ部１１を備えた第１の部材１と、第１の部材１のフランジ部１１が係止される係止部２１を備え、対象物Ｗの上面に載置される第２の部材２とを、井桁状に組み合わせてなるようにしている。
【００１９】
ここで、第１の部材１及び第２の部材２は、目地材Ｍが付着しにくい、金属製又は合成樹脂製のものからなり、曲げ強度を持たせるために、第１の部材１の下縁にフランジ部１２を、第２の部材２の上縁にフランジ部２２を、それぞれ備えるようにしている。
【００２０】
第２の部材２の係止部２１は、目地材Ｍの厚さを規定するもので、係止部２１を上下方
向に複数段設け（１段でもよい。）、そのいずれかに選択的に第１の部材１のフランジ部１１を係止するようにしている。
【００２１】
そして、本実施例においては、係止部２１を２段設け、係止部２１の上段に第１の部材１のフランジ部１１を係止した場合、目地材Ｍの厚さは１３ｍｍになり、係止部２１の下段に第１の部材１のフランジ部１１を係止した場合、目地材Ｍの厚さは８ｍｍになるようにしている。
【００２２】
また、図３に示す、本考案の目地形成具の第１実施例の変形例においては、係止部２１を３段設け、係止部２１の上段に第１の部材１のフランジ部１１を係止した場合、目地材Ｍの厚さは１８ｍｍになり、係止部２１の中段に第１の部材１のフランジ部１１を係止した場合、目地材Ｍの厚さは１３ｍｍになり、係止部２１の下段に第１の部材１のフランジ部１１を係止した場合、目地材Ｍの厚さは８ｍｍになるようにしている。
【００２３】
また、第２の部材２の係止部２１は、第２の部材２の長手方向に２組以上設け（１組でもよい。）、その１組に１組の第１の部材１のフランジ部１１を係止するようにしている。
【００２４】
そして、本実施例においては、係止部２１を３組設け、対象物Ｗの大きさ（幅寸法）が１５０ｍｍの場合、係止部２１の外側の組に第１の部材１のフランジ部１１を係止し、対象物Ｗの大きさ（幅寸法）が１２０ｍｍの場合、係止部２１の中間の組に第１の部材１のフランジ部１１を係止し、対象物Ｗの大きさ（幅寸法）が１００ｍｍの場合、係止部２１の内側の組に第１の部材１のフランジ部１１を係止するようにしている。
【００２５】
この目地形成具は、図１に示すように、第１の部材１と第２の部材２とを井桁状に組み合わせて、第１の部材１を対象物Ｗの側面に接して配置するとともに、第２の部材２を対象物Ｗの上面に載置して設置する。
ここで、設ける目地材Ｍの厚さ及び対象物Ｗの大きさ（幅寸法）に応じて、第１の部材１のフランジ部１１を係止する第２の部材２の係止部２１を選択するとともに、対象物Ｗの大きさ（長さ寸法）、すなわち、設ける目地材Ｍの長さに応じて、第２の部材２の間隔を調整するようにする。
次に、第１の部材１と第２の部材２とで囲まれた対象物Ｗの上面に、目地材Ｍを載置し、コテを用いて目地材Ｍの表面が第１の部材１の上縁の高さと一致するように均す。
この状態で、目地形成具を取り外すことで、対象物Ｗの上面に所定厚さの目地材Ｍが塗布される。
【００２６】
図４に、本考案の目地形成具の第２実施例を示す。
この目地形成具は、フェイスシェルＦをウェブＷｅで連結したコンクリートブロック等の対象物ＷのフェイスシェルＦの上面に所定厚さのモルタル等の目地材Ｍを塗布するために用いられるものである。
【００２７】
ここで、第２の部材２の係止部２１を第２の部材２の長手方向に２組以上設け（２組でもよい。）、その２組に２組の第１の部材１Ａ、１Ｂのフランジ部１１を係止することで、井桁状に組み合わせてなるようにしている。
【００２８】
この目地形成具は、図４に示すように、第１の部材１Ａ、１Ｂと第２の部材２とを井桁状に組み合わせて、第１の部材１Ａ、１Ｂを対象物ＷのフェイスシェルＦの側面に接して配置するとともに、第２の部材２を対象物ＷのフェイスシェルＦの上面に載置して設置する。
ここで、設ける目地材Ｍの厚さに応じて、第１の部材１Ａ、１Ｂのフランジ部１１を係
止する第２の部材２の係止部２１を選択するとともに、対象物Ｗの大きさ（長さ寸法）、すなわち、設ける目地材Ｍの長さに応じて、第２の部材２の間隔を調整するようにする。
次に、第１の部材１Ａ、１Ｂと第２の部材２とで囲まれた対象物Ｗの上面に、目地材Ｍを載置し、コテを用いて目地材Ｍの表面が第１の部材１Ａ、１Ｂの上縁の高さと一致するように均す。
この状態で、目地形成具を取り外すことで、対象物ＷのフェイスシェルＦの上面に所定厚さの目地材Ｍが、目地材Ｍが対象物Ｗの空洞部に落下させることなく塗布される。
これにより、対象物Ｗの空洞部に落下した目地材Ｍを取り除くための点検口を省略することができる。
【００２９】
なお、本実施例の目地形成具のその他の構成及び作用は、上記第１実施例及びその変形例の目地形成具と同様である。
【００３０】
以上、本考案の目地形成具について、その実施例に基づいて説明したが、本考案は上記実施例に記載した構成に限定されるものではなく、その趣旨を逸脱しない範囲において適宜その構成を変更することができるものである。
【産業上の利用可能性】
【００３１】
本考案の目地形成具は、対象物の大きさに制約がなく汎用性のある対象物の上面に所定厚さの目地材を塗布するために用いることができることから、コンクリートブロックやレンガの上面に所定厚さの目地材を塗布するための用途に広く適用することができる。
【符号の説明】
【００３２】
１、１Ａ、１Ｂ  第１の部材
１１  フランジ部
１２  フランジ部
２  第２の部材
２１  係止部
２２  フランジ部
Ｍ  目地材
Ｗ  対象物
【図１】
0003235385.tif 000003
【図２】
0003235385.tif 000004
【図３】
0003235385.tif 000005
【図４】
0003235385.tif 000006